【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
画像が表示される有効表示部を有する表示パネルと、前記有効表示部に駆動信号を供給するフレキシブル基板を備えた駆動信号源と、
前記表示パネルの接続パッドと前記駆動信号源のフレキシブル基板上に設けた接続端子とが熱圧着手段によって接続された接続部と、
前記接続部と前記有効表示部とを接続する複数の接続配線と、を備えた表示装置であって、
前記接続部は、
前記接続配線を介して前記有効表示部に接続され前記表示パネル上に設けた接続パッドからなり夫々離間して配置された複数の接続パッド群と、前記接続パッド群の間に配置されたダミーパッドからなるダミーパッド群と、を有する第１接続部と、
前記第１接続部と熱圧着にて接続され前記接続パッドに対応した接続端子からなり前記フレキシブル基板の両側部に配置される複数の接続端子群と、前記ダミーパッドに対応したダミー端子からなり前記接続端子群の間に配置されるダミー端子群と、を有する第２接続部と、を具備し、
前記ダミーパッド群と前記ダミー端子群とにより前記接続部での熱圧着時の熱分布を均一化するようにした表示装置。
【請求項２】
前記有効表示部は、表示画素に信号を供給する複数の信号供給配線と、前記接続配線のそれぞれに対して複数の信号供給配線を切替えて接続するスイッチ回路と、をさらに有し、
前記スイッチ回路は、多結晶シリコンを用いたスイッチング素子を有する請求項１記載の表示装置。
【請求項３】
前記ダミーパッドが配置されるピッチは、前記接続パッドが配置されるピッチ以上である請求項１記載の表示装置。
【手続補正２】
【補正対象書類名】明細書
【補正対象項目名】０００８
【補正方法】変更
【補正の内容】
【０００８】
本発明の態様による表示装置は、画像が表示される有効表示部を有する表示パネルと、前記有効表示部に駆動信号を供給するフレキシブル基板を備えた駆動信号源と、前記表示パネルの接続パッドと前記駆動信号源のフレキシブル基板上に設けた接続端子とが熱圧着手段によって接続された接続部と、前記接続部と前記有効表示部とを接続する複数の接続配線と、を備えた表示装置であって、前記接続部は、前記接続配線を介して前記有効表示部に接続され前記表示パネル上に設けた接続パッドからなり夫々離間して配置された複数の接続パッド群と、前記接続パッド群の間に配置されたダミーパッドからなるダミーパッド群と、を有する第１接続部と、前記第１接続部と熱圧着にて接続され前記接続パッドに対応した接続端子からなり前記フレキシブル基板の両側部に配置される複数の接続端子群と、前記ダミーパッドに対応したダミー端子からなり前記接続端子群の間に配置されるダミー端子群と、を有する第２接続部と、を具備し、前記ダミーパッド群と前記ダミー端子群とにより前記接続部での熱圧着時の熱分布を均一化するようにした表示装置である。
【手続補正３】
【補正対象書類名】明細書
【補正対象項目名】００１０
【補正方法】変更
【補正の内容】
【００１０】
図１に示すように、表示装置としての液晶表示装置は、画像が表示される有効表示部１０Ａを有する液晶表示パネル１０を有している。
【手続補正４】
【補正対象書類名】明細書
【補正対象項目名】００２５
【補正方法】変更
【補正の内容】
【００２５】
ここで、フレキシブル基板１６の第２接続部ＴＡ２はＸ方向の長さが制限されるため、上記のように接続パッドＣＰの配置ピッチを小さくすると、図３Ｂに示すように、第１接続部ＴＡ１に接続パッドＣＰが配置されない領域Ａ１が形成される。従って、フレキシブル基板１６の第２接続部ＴＡ２にも、接続パッドＣＰが配置されない領域Ａ１に対応して、接続端子ＣＴが配置されない領域が形成される。
【手続補正５】
【補正対象書類名】明細書
【補正対象項目名】００２６
【補正方法】変更
【補正の内容】
【００２６】
この場合に、フレキシブル基板１６をアレイ基板に熱圧着すると、接続部ＴＡにおける熱の分布が一様でなくなり、接続不良が発生する可能性がある。そこで、図３Ｃに示すように、接続パッドＣＰが配置されない領域Ａ１に接続配線ＣＷに接続されない複数のダミーパッドＤＰを配置した。
【手続補正６】
【補正対象書類名】明細書
【補正対象項目名】００２７
【補正方法】変更
【補正の内容】
【００２７】
すなわち、図５に示すように、第１接続部ＴＡ１には、接続パッドＣＰからなる第１及び第２接続パッド群ＰＡ１、ＰＡ２と、第１接続パッド群ＰＡ１と第２接続パッド群ＰＡ２との間に配置された複数のダミーパッドＤＰからなる第３パッド群ＰＡ３と、が配置される。
【手続補正７】
【補正対象書類名】明細書
【補正対象項目名】００２８
【補正方法】変更
【補正の内容】
【００２８】
このとき、図３Ｃに示すように、ダミーパッドＤＰが配置されるピッチＰ３は、図３Ａに示す接続パッドＣＰが配置されるピッチＰ１と同じになっている。つまり、この実施の形態においては、各パッドのピッチは、Ｐ１＞Ｐ２、Ｐ１＝Ｐ３の関係に設定されていることになる。これに対応して、フレキシブル基板１６の第２接続部ＴＡ２には、第１接続端子群ＣＴＡ１と第２接続端子群ＣＴＡ２との間の接続端子ＣＴが配置されない領域Ａ２に、図５に示すように、ダミーパッドＤＰに対向するダミー端子ＤＴが配置される。
【手続補正８】
【補正対象書類名】明細書
【補正対象項目名】００３０
【補正方法】変更
【補正の内容】
【００３０】
上記のように第１及び第２接続部ＴＡ１、ＴＡ２を構成する第１及び第２接続パッド群ＰＡ１、ＰＡ２との間にダミーパッドＤＰからなる第３接続パッド群ＰＡ３を、また第１及び第２接続端子群ＣＡＴ１、ＣＡＴ２との間にダミー端子ＤＴからなる第３接続端子群ＣＡＴ３を配置することで、接続パッドＣＰの配置ピッチを小さくした場合であっても、熱圧着時の熱分布を均一にすることが可能となり、接続不良を防止することができる。
【手続補正９】
【補正対象書類名】明細書
【補正対象項目名】００３２
【補正方法】変更
【補正の内容】
【００３２】
第１実施例の液晶表示装置は、図６に示すような液晶表示パネル１０を有している。すなわち、接続配線ＣＷは多結晶シリコンを用いたスイッチング素子を有するスイッチ回路ＳＷＣを介して信号線ＤＬに接続されている。本実施例では、４３２本の接続配線ＣＷがスイッチ回路ＳＷＣを介して１２９６本の信号線ＤＬ（ＤＬ１〜ＤＬ１２９６）に接続されている。
【手続補正１０】
【補正対象書類名】明細書
【補正対象項目名】００３３
【補正方法】変更
【補正の内容】
【００３３】
液晶表示パネル１０は、上記の点以外は前述した図１に示す液晶表示パネルと同様であるため同じ符号を付して説明を省略する。アレイ基板１２は、図４に示したように第１乃至第３接続パッド群ＰＡ１、ＰＡ２、ＰＡ３を有している。第１及び第２接続パッド群ＰＡ１、ＰＡ２の接続パッドＣＰの数はそれぞれ２１６個で、そのピッチが６５μｍとなるように配置されている。第３接続パッド群ＰＡ３には、１１８個のダミーパッドＤＰが６５μｍのピッチで配置されている。この場合、接続パッドＣＰとダミーパッドＤＰとのピッチは、ともに６５μｍと等しく設定されている。
【手続補正１１】
【補正対象書類名】明細書
【補正対象項目名】００３６
【補正方法】変更
【補正の内容】
【００３６】
比較例に係る液晶表示装置では、図６に示す場合と同様に、アレイ基板１２の接続配線ＣＷはスイッチ回路ＳＷＣを介して信号線ＤＬに接続されている。すなわち、図７に示すように、４３２本の接続配線ＣＷがスイッチ回路ＳＷＣを介して１２９６本の信号線に接続されている。
【手続補正１２】
【補正対象書類名】明細書
【補正対象項目名】００４３
【補正方法】変更
【補正の内容】
【００４３】
【図１】本発明の一実施の形態に係る液晶表示装置の液晶表示パネルの一例を概略的に示す平面図。
【図２】液晶表示パネルのアレイ基板とフレキシブル基板との接続部の一構成例を説明する図。
【図３Ａ】図２に示すアレイ基板の接続部の接続パッドの一配置例を説明する図。
【図３Ｂ】図２に示す接続部において接続パッドの配置ピッチを小さくしたときの接続パッドの一配置例を説明する図。
【図３Ｃ】図２に示すアレイ基板の接続部の一構成例を詳細に説明する図。
【図４】図１に示す液晶表示パネルのアレイ基板とフレキシブル基板との接続部の構成例を説明する図。
【図５】図４に示す液晶表示パネルを図１に示す線Ａ−Ａで切断した一断面例を示す図。
【図６】本発明の一実施形態に係る液晶表示装置の一実施例について説明する図。
【図７】図４に示す実施例の比較例に係る液晶表示装置について説明する図。